(57)【要約】【課題】本発明は、折り込み印刷物、封筒、小包、又は、他の物品のための選別機システムにおける使用が意図されている段ばらし装置に関する。【解決手段】段ばらし装置が、水平に対して傾斜して配置されている一連のコンベヤ（１０、１１、１２）であって、そのコンベヤによって上方に搬送される物品（Ｊ、Ｋ）を受け取って支持するための移動可能表面（Ｓ）をその各々が備えるコンベヤ（１０、１１、１２）と、流体の圧力を変化させるための少なくとも１つの圧力変化装置（２）とを備える。コンベヤ（１０、１１、１２）の表面（Ｓ）はスルーホールを有し、圧力変化装置（２）は表面（Ｓ）に対して流動的に連結されている。【選択図】図６
2020019653.tif 000002
【特許請求の範囲】
【請求項１】
段ばらし装置（１）であって、
水平に対して傾斜して配置されている一連の複数のコンベヤ（１０、１１、１２）であって、個々のコンベヤが該コンベヤ（１０、１１、１２）によって上方に搬送される物品（Ｊ、Ｋ）を受け取って支持するための移動可能表面（Ｓ）を有するコンベヤ（１０、１１、１２）と、
流体の圧力を変化させるための少なくとも１つの圧力変化装置（２）と、を備え、
少なくとも１つの前記コンベヤ（１０、１１、１２）の前記移動可能表面（Ｓ）が複数のスルーホールを有し、前記圧力変化装置（２）は前記移動可能表面（Ｓ）に対して流動的に連結されている、段ばらし装置（１）。
【請求項２】
前記スルーホールは前記移動可能表面（Ｓ）の主要部分上に分散している請求項１に記載の装置（１）。
【請求項３】
前記コンベヤ（１０、１１、１２）の各々は、末端駆動装置の周りのループの形に閉じているコンベヤベルトを備え、該コンベヤベルトは上部傾斜路によって画定されている接触表面（Ｓ）を備えている請求項１又は２に記載の装置（１）。
【請求項４】
前記圧力変化装置（２）と動的に流体連通するように設計されている穿孔された四角形の要素を１つ又は複数のベルト（１０、１１、１２）内に備える請求項１〜３の何れか一項に記載の装置（１）。
【請求項５】
２つ以上のコンベヤ（１０、１１、１２）の接触表面（Ｓ）は、概ね互いに同一の平面内に位置している請求項１〜４の何れか一項に記載の装置（１）。
【請求項６】
少なくとも１つの対の前記コンベヤ（１０、１１、１２）は、さらに上流の前記コンベヤの下流端部が下流の前記コンベヤの上流端部よりも高い位置にあるように、相互に配置されている請求項１〜５の何れか一項に記載の装置（１）。
【請求項７】
前記圧力変化装置（２）は負圧を生じるように設計されている請求項１〜６の何れか一項に記載の装置（１）。
【請求項８】
前記圧力変化装置（２）は過圧を生じるように設計されている請求項１〜７の何れか一項に記載の装置（１）。
【請求項９】
少なくとも１つのコンベヤ（１０、１１、１２）の上を移動させられる前記物品（Ｊ、Ｋ）の位置を検出して位置信号を生じるように設計されている少なくとも１つの捕捉装置（３）と、
該捕捉装置（３）に接続されており、且つ、前記位置信号にしたがって前記圧力変化装置（２）の動作を制御するように構成されている少なくとも１つの処理ユニットと、を備える請求項１〜８の何れか一項に記載の装置（１）。
【請求項１０】
接触表面（Ｓ）は、前記物品が移動させられる搬送表面を画定し、かつ前記圧力変化装置（２）に流体連通した形に選択的に配置されるように設計されている複数の動作区域に分割され、処理ユニットは、位置信号に基づいて前記コンベヤの表面上の前記物品（Ｊ、Ｋ）の相対的位置を決定するための位置モジュールと、前記位置信号に基づいて前記動作区域のどの箇所が前記圧力変化装置（２）と流体連通させられるかを選択するように構成されている選択モジュールと、を備える請求項１〜９の何れか一項に記載の装置（１）。
【発明の詳細な説明】
【技術分野】
【０００１】
本発明は、特に、折り込み印刷物、封筒、小包、又は、他の物品のための選別機システムにおける使用が意図されている、改良された段ばらし装置（ディスタッカー）に関する。
【背景技術】
【０００２】
一種の傾斜路を画定するように、一連の傾斜した電動ベルトによって構成されている段ばらし装置が知られており、このベルトの基部には物品のスタック又は積み重ねが送り込まれ、及び、この物品のスタック又は積み重ねが、一連のベルトのうちの最初のベルトから把持されて、上方に搬送される。
【０００３】
この段ばらし（積みばらし）は、重力を利用することによって行われ、及び、１つ又は複数の物品が下方に滑動する時に、上方に搬送される物品のグループが分離することを可能にし、及び、物品の分離を促進することが可能である異なる移動条件が、互いに異なる物品の間で生じさせられるように、２つの連続したベルトの相互間で可変的な速度又は加速度を利用する。
【０００４】
こうした既知のシステムは、あまり軽量ではない小包又は他の物品を段ばらしすることに関しては一定の効果がある形で動作するが、折り込み印刷物又はその類似物を分離させるために使用される時には効果が著しく低い。
【発明の概要】
【発明が解決しようとする課題】
【０００５】
これに関連して、本発明の基礎となる技術的課題が、引用されている従来技術の欠点を克服することが可能である段ばらし装置を提案することである。
【課題を解決するための手段】
【０００６】
この技術的課題は、特許請求の範囲の請求項１によって実現される機械によって達成される。
【０００７】
本発明のさらに別の特徴と利点は、添付図面に示されているように、概略的であり、かつ、本発明の装置の好ましいが排他的でない実施形態の非制限的な説明からからより明瞭になるだろう。
【図面の簡単な説明】
【０００８】
【図１】１つの動作モードを示す、本発明による装置の略図である。
【図２】別の動作モードを示す、本発明による装置の略図である。
【図３】調整弁が示されている、先行の請求項に記載の装置の略図である。
【図４】提案されている装置のコンベヤの採用可能な構成を示す略図である。
【図５】提案されている装置のコンベヤの採用可能な他の構成を示す略図である。
【図６】本発明の動作シーケンスを示す略図である。
【図７】本発明の他の動作シーケンスを示す略図である。
【図８】本発明の他の動作シーケンスを示す略図である。
【発明を実施するための形態】
【０００９】
上記の図を参照すると、符号１が、本発明によって実現される段ばらし装置を示す。
【００１０】
この提案されている装置１は、先ず、傾斜路を画定するために、水平に対して相対的に傾斜した形で位置されている一連のコンベヤ１０、１１、１２を備え、この傾斜路の各々は、上方に搬送されている物品Ｋ、Ｊを受け取って支持するための、好ましくは平坦な、移動可能表面Ｓを備える。
【００１１】
実際には、コンベヤは、上向きの搬送経路を画定するように、好ましくは同一の傾きを各々が有する形で、次第に増大する高さに位置されている。例えば、３つのコンベヤ１０、１１、１２が備えられることが可能である。
【００１２】
例えば折り込み印刷物、しかし、さらには、小包、封筒等のようなこれらの物品は、個々のコンベヤ１０、１１、１２の相互間の後続の搬送経路を通過して、装置１の底部から頂部に向かって搬送される。
【００１３】
装置１の出口は傾斜路１０、１１、１２の頂部にあり、これらの傾斜路を通過して物品がそのシステムの他のステーションに配送される。
【００１４】
好ましくは、コンベヤ１０、１１、１２の各々は、末端駆動装置の周りにループの形に閉じられているベルトを含み、これらの末端駆動装置の少なくとも１つはモーターを備えている。ベルト１０、１１、１２は、そのベルト自体の上部傾斜路によって画定されている接触表面Ｓを備えている。
【００１５】
傾斜路１０、１１、１２の１つの採用可能な構成では、コンベヤ１０、１１、１２の接触表面Ｓは概ね同一の平面上に位置されており（図４を参照）、一方、別の構成では、コンベヤ１０、１１、１２は、さらに上流のコンベヤの下流端部が、さらに下流のコンベヤの上流端部よりも高い位置にあり、且つ、この上流端部の上に重なっているように、互いに対の形で位置されている（図５を参照）。
【００１６】
本発明の重要な側面によって、装置１は、圧力変化装置２を含み、及び、コンベヤ１０、１１、１２の接触表面Ｓは、この圧力変化装置２に流体連通した形で位置されるように設計されているスルーホール（貫通孔）を有する。
【００１７】
詳細に述べると、この圧力変化装置２は負圧源と過圧源の両方を含むことが可能であり、この負圧源と過圧源は、恐らくは、例えば市場で知られているインペラー又は他の装置を備えている、圧縮装置／吸引装置に一致し、及び、これらによって定義されることが可能である。
【００１８】
これによって、重力との協働によって、積み重ねられているか又は重ねられている物品をより効果的に分離させることを可能にするために、特定の物品の付着が、接触表面Ｓにおける負圧を生じさせることによって増大させられることが可能であり（図１及び図３の矢印を参照）、又は、特定の物品の付着が、表面Ｓにおける過圧を生じさせることによって減少させられることが可能である（例えば、図２を参照）。
【００１９】
例えば、積み上げた山から取り出すこと、又は段ばらしを促進するために（図６と図７を参照）、物品Ｊとスタックの他の物品Ｋとの間の付着の勾配を画定するように、上流に位置されている隣接するベルト１０から物品Ｊを受け取るベルト１１（又は、別のコンベヤ）の付着が増大させられることが可能である。
【００２０】
これとは逆に、重力が下流の滑動を促進して積み重ね物を分離させるように、下流のベルト１１上での１つ又は複数の物品Ｊの移動中に、上流のベルト１０の付着が増大させられることが可能である。
【００２１】
上記のパラグラフで説明されている２つの使用モードが共に使用されることが可能であり、又は、選択的な形で使用されることが可能である。さらに別の使用モードが、本発明の動作の説明で例示されるだろう。
【００２２】
移動可能接触表面Ｓの主要部分に孔が形成されることが可能であり、及び、好ましくは、これらの孔は、均一に分布させられている。
【００２３】
好ましくは、コンベヤベルト１０、１１、１２の内側には、圧力変化装置２に動的に流体連通するように設計されている穿孔された四角形の要素が位置されている。
【００２４】
さらに詳細に述べると、圧力変化装置２とコンベヤ１０、１１、１２の内部との間において、連通ダクト２１が、好ましくは流体連通を調整するための弁２２の挿入を伴って、備えられることが可能である（図１から図３を参照）。
【００２５】
例えば、圧力変化によって影響を受けるコンベヤ１０、１１、１２を選択して、コンベヤ１０、１１、１２の各々のためのそれぞれの調整弁２２を実現することが可能である。
【００２６】
本発明の重要な側面では、装置１は、コンベヤ１０、１１、１２の１つ又は複数の上を移動させられる物品Ｊ、Ｋの位置を検出するように設計されている、１つ又は複数の捕捉装置３を備える。
【００２７】
例えばカメラを備えることが可能である各々の捕捉装置３は、捕捉された物品の形状構成に応じた位置信号を生じさせるように設計されている。
【００２８】
さらに、装置１は、捕捉装置３に接続されており且つ上記位置信号に基づいて圧力変化装置２の動作を制御するように構成されている処理ユニットを含む。
【００２９】
実際には、カメラ３（又は、この目的のために設計された他の装置）が個別的な物品又は積み重ねされた物品を検出するということに基づいて、その結果として、吸引装置／圧縮装置２が起動されるか又は停止させられ、又は、処理ユニットの制御を受ける上述した弁３が開かれるか又は閉じられる。
【００３０】
例えば、図６から図８に示されているように、カメラ３が、２つの積み重ねられた物品Ｊ、Ｋのグループを検出する場合に、処理ユニットは、さらに下流にあるベルト１１、即ち、より高い位置にあるベルトの接触表面Ｓ上の吸引を制御することが可能であり、このことが、特にさらに上流のベルト１０の接触表面Ｓが空気を吹き付けられる場合に、重力の補助を伴って２つの物品Ｊ、Ｋの分離を生じさせる。
【００３１】
分離が完了すると、製品Ｊ、Ｋが下方に滑り落ちないように、ベルト１０、１１の両方の上の付着が吸引によって強化される。
【００３２】
本発明の特定の実施形態では、各コンベヤ１０、１１、１２の接触表面Ｓにおいて、物品がそれに沿って移動させられる搬送表面が画定され、この搬送表面は、選択的に圧力変化装置２と流体連通状態にされるように設計されている複数の動作区域に分割されている。
【００３３】
実際には、互いに無関係に吸引／吹き付けを行うことが可能なベルト１０、１１、１２（又は別のコンベヤ）の上部岐路上に、複数の区域又は四分円が特定される。
【００３４】
例えば、２つ以上の穿孔された四角形の要素が、ベルト１０、１１、１２の内側に備えられることが可能であり、又は、穿孔された四角形の構造が、仕切り具によって内部において区画化されることが可能である。
【００３５】
いずれの場合にも、各々の動作区域は、処理ユニットによって制御されるそれぞれの弁２２を間に挿入する形で、吸引装置／圧縮装置２に連結されることが可能である。
【００３６】
詳細に述べると、処理ユニットは、カメラ３からの位置信号に応じてコンベヤ表面上の物品の相対的位置を決定するように構成されている位置モジュールを備え、及び、さらに、上記動作区域のどれが圧力変化装置２に連通させられるかを選択するように構成されている選択モジュールも備える。
【００３７】
言い換えると、処理ユニットは、ベルト１０、１１、１２上の物品Ｊ、Ｋの位置に基づいて、例えば同一区域に配置されている特定の物品の付着を強化するために、特定の区域において表面圧力の変化を生じさせることを決定することが可能であり、及び、その物品の分離を生じさせるように、第１の物品の上に積み重ねられている別の物品の付着を低下させることが可能である。
【００３８】
本発明は、その全般的な側面において、次で説明するように動作する。
【００３９】
提案されている装置１に、傾斜路の底部に積み重ねられているか又は積まれているばらばらの物品が送り込まれる。
【００４０】
第１のベルト１０が製品Ｊ、Ｋを上方に搬送し、この製品は重力の作用を受け始める。
【００４１】
特にベルト１０、１１、１２の遷移区域において、重なり合う物品を分離させるか又は他の形で分散させるために、上述した方法によって付着の差が生じさせられる。
【００４２】
この動作は、相互に重なり合うことを防ぐために物品の段ばらしを行うように、数回にわたって反復される。
【００４３】
したがって、本発明がどのように折り込み印刷物又は他の非常に軽量の物品も効果的に段ばらしすることと、したがって従来技術の限界を克服することとが可能であるかを、理解することが可能である。
【符号の説明】
【００４４】
１    段ばらし装置（ディスタッカー）
２    圧力変化装置
３    捕捉装置
１０、１１、１２    コンベヤ
Ｋ、Ｊ    物品
Ｓ    接触表面（移動可能表面）
【図１】
2020019653.tif 000003
【図２】
2020019653.tif 000004
【図３】
2020019653.tif 000005
【図４】
2020019653.tif 000006
【図５】
2020019653.tif 000007
【図６】
2020019653.tif 000008
【図７】
2020019653.tif 000009
【図８】
2020019653.tif 000010